(57)【特許請求の範囲】
【請求項１】
室内の壁に設置されたキャビネットの前側に、ドレンパンを有するドレンパンユニットが設けられ、ドレンパンユニットに、左右方向にわたって吹出口が形成され、ドレンパンユニットの左右方向の一側に電装ボックスが設けられ、ドレンパンユニットの左右方向の中間部分に電装品が設けられ、電装ボックスと電装品とを電気的に接続するワイヤが吹出口の上壁上の前部に左右方向にわたって配線され、吹出口の上壁上に、ワイヤを前後方向に挟んで固定する固定部が一体的に設けられ、固定部は、ワイヤを上から押える左右一対のフックと、左右のフックの間に配された円柱状のピンとを有し、前方からピンに沿って滑り込まされたワイヤをフックに押し込めることができるように、フックの立ち上がり部の前端はピンの後端よりも前側に位置し、ピンは前傾して形成されたことを特徴とする空気調和機。
【請求項２】
室内の壁に設置されたキャビネットの前側に、ドレンパンを有するドレンパンユニットが設けられ、ドレンパンユニットに、左右方向にわたって吹出口が形成され、ドレンパンユニットの左右方向の一側に電装ボックスが設けられ、ドレンパンユニットの左右方向の中間部分に、吹出口に面するように電装品が設けられ、電装ボックスと電装品とを電気的に接続するワイヤが吹出口の上壁上に左右方向に配線され、ドレンパンユニットに、前方から押し込まれたワイヤを前後方向に挟んで固定する固定部が一体的に設けられ、上壁上に固定部が設けられ、吹出口の上壁に、電装品を装着したホルダが取り付けられ、ホルダに下向きに突起が形成され、ワイヤは、吹出口の上壁上から吹出口内に導かれ、突起の下方を通って電装品に接続され、電装品およびワイヤはカバーによって覆われたことを特徴とする空気調和機。
【請求項３】
固定部は、ワイヤを上から押えるフックと、フックよりも前側に配されたピンとを有し、フックとピンとによりワイヤが挟まれたことを特徴とする請求項２記載の空気調和機。
【請求項４】
一対のフックが左右方向に間隔をおいて設けられ、隣り合うフックの間に円柱状のピンが配され、前方からピンに沿って滑り込まされたワイヤをフックに押し込めることができるように、フックの立ち上がり部の前端はピンの後端よりも前側に位置し、ピンは前傾して形成されていることを特徴とする請求項３記載の空気調和機。
【請求項５】
フックおよびピンは、前向きおよび上向きの金型抜き方向に沿って形成されたことを特徴とする請求項１、３、４のいずれかに記載の空気調和機。
【請求項６】
ドレンパンユニットに、ワイヤのはみ出しを防ぐためのリブが左右方向に沿って設けられ、リブはワイヤの前方に位置することを特徴とする請求項１〜５のいずれかに記載の空気調和機。
【請求項７】
複数の固定部が左右方向に間隔をおいて設けられ、ドレンパンユニットに、固定部に対向する箇所を除いてリブが左右方向に沿って設けられたことを特徴とする請求項１〜６のいずれかに記載の空気調和機。
【請求項８】
固定部の前方に、遮蔽部材が設けられたことを特徴とする請求項７記載の空気調和機。
【請求項９】
吹出口に面するように電装品が配置され、吹出口の上壁に、電装品を装着したホルダが取り付けられ、ホルダに下向きに突起が形成され、ワイヤは、吹出口の上壁上から吹出口内に導かれ、突起の下方を通って電装品に接続され、電装品およびワイヤはカバーによって覆われたことを特徴とする請求項１記載の空気調和機。
【発明の詳細な説明】
【技術分野】
【０００１】
本発明は、キャビネットの左右方向の中間部分に電装品が配置された空気調和機に関する。
【背景技術】
【０００２】
空気調和機では、キャビネットに左右方向にわたって吹出口が形成され、キャビネットの左右方向の一側に、制御回路や電源装置を内装した電装ボックスが設けられる。そして、キャビネット内の設置された電装品に電装ボックスからワイヤが配線され、電装品と電装ボックスとが電気的に接続される。例えば、特許文献１では、キャビネットの左右方向の他側に配置された電装品と電装ボックスとがワイヤにより接続され、ワイヤは、熱交換器同士の隙間を遮蔽する遮風板の左右方向に配線され、フックなどの固定部により固定されている。
【０００３】
ここで、電装品としてイオン発生ユニットを備えた空気調和機では、イオン発生ユニットが吹出口に設けられ、イオン発生ユニットから発生したイオンが室内に吹き出される。このような電装品は、キャビネットの前側において、吹出口の左右方向の中間部分に設置される。ここで、中間部分は、左右方向の両端を除く、一側から他側までの間の部分である。キャビネットの前側には、熱交換器から落下するドレン水を受けるドレンパンが設けられている。電装品に接続されるワイヤはこのドレンパンに沿って配線される。ドレンパンの前壁にワイヤを保持するフックが設けられている。
【０００４】
また、熱交換器の前側に電装品が配置された場合、熱交換によって生じたドレン水がワイヤを伝って電装品に侵入するおそれがある。これを防ぐために、特許文献２では、ワイヤが電装品のワイヤの導入部よりも下方まで引き回され、トラップが形成されている。
【先行技術文献】
【特許文献】
【０００５】
【特許文献１】特開２００４−３１７０５１号公報
【特許文献２】特開２０１０−１２１８８０号公報
【発明の概要】
【発明が解決しようとする課題】
【０００６】
イオン発生ユニットのように、電装品が吹出口に設けられているとき、ワイヤは吹出口に沿って電装品に配線される。キャビネットの前面には、着脱自在に前面カバーが設けられている。メンテナンスや清掃のために、前面カバーが取り外されると、ドレンパンが露出する。このとき、ワイヤが露出することがある。ワイヤがフックに引っ掛けられて保持されている場合、メンテナンス等の作業中にワイヤに触れると、ワイヤは簡単に外れてしまう。
【０００７】
また、電装品が吹出口に設けられているとき、ワイヤは吹出口に沿って電装品に配線される。トラップ構造のためにワイヤを弛ませると、ワイヤは吹出口内に入り込み、送風の抵抗となってしまう。
【０００８】
本発明は、上記に鑑み、吹出口の近傍に配線されたワイヤが外部に露出することがあっても、ワイヤが簡単に外れず、さらに送風の邪魔にもならないようにワイヤを配線した空気調和機の提供を目的とする。
【課題を解決するための手段】
【０００９】
本発明は、熱交換器および送風ファンが装着されたキャビネットの前側に、ドレンパンを有するドレンパンユニットが設けられ、ドレンパンユニットに、左右方向にわたって吹出口が形成され、ドレンパンユニットの左右方向の一側に電装ボックスが設けられ、ドレンパンユニットの左右方向の中間部分に電装品が設けられ、電装ボックスと電装品とを電気的に接続するワイヤが吹出口に沿って左右方向に配線され、ドレンパンユニットに、ワイヤを前後方向に挟んで固定する固定部が一体的に設けられたものである。
【００１０】
キャビネットの前側に配線されたワイヤは、固定部により前後方向に挟みつけられて固定される。そのため、前側からワイヤに指などが触れることがあっても、ワイヤは前方向にずれず、ワイヤは固定部から外れない。
【００１１】
固定部は、ワイヤを上から押えるフックと、フックよりも前側に配されたピンとを有するようにしてもよい。このようにすれば、フックとピンとによりワイヤが前後方向に挟まれるとともに、フックによりワイヤが上から押えられる。したがって、ワイヤが前方向あるいは上方向にずれることを防げる。さらに、ピンは、前側に向かって前傾して形成されるようにしてもよい。ピンを前傾させるようにすれば、ワイヤをフックとピンとの間に出し入れしやすくなる。複数のフックが左右方向に間隔をおいて設けられ、隣り合うフックの間にピンが設けられるようにしてもよい。このようにすれば、ワイヤは、前側をピンにより押えられ、後側をフックにより押えられ、蛇行するように配線される。
すなわち、室内の壁に設置されたキャビネットの前側において、ワイヤが吹出口の上壁上の前部に左右方向にわたって配線され、固定部は、ワイヤを上から押える左右一対のフックと、左右のフックの間に配された円柱状のピンとを有し、前方からピンに沿って滑り込まされたワイヤをフックに押し込めることができるように、フックの立ち上がり部の前端はピンの後端よりも前側に位置し、ピンは前傾して形成されたものである。
【００１２】
フックおよびピンは、前向きおよび上向きの金型抜き方向に沿って形成されるようにしてもよい。このようにすれば、金型によってドレンパンユニットを成形することにより、フックおよびピンはドレンパンユニットに一体成形される。フックは、前方向に突出した形状となり、ピンよりも後側に配置されることになる。
【００１３】
ドレンパンユニットに、ワイヤのはみ出しを防ぐためのリブが左右方向に沿って設けられ、リブはワイヤの前方に位置するようにしてもよい。このようにすれば、ワイヤが前方向にずれても、ワイヤはリブに接触して、それ以上前側にずれない。これにより、ドレンパンユニットからワイヤがはみ出すことを防げる。
【００１４】
複数の固定部が左右方向に間隔をおいて設けられ、ドレンパンユニットに、固定部に対向する箇所を除いてリブが左右方向に沿って設けられるようにしてもよい。このようにすれば、左右方向の複数箇所において、ワイヤが固定され、ワイヤを外れにくくできる。リブをフックやピンと同様にドレンパンユニットに一体成形する場合、金型抜き方向が前方向となるので、固定部の前方にはリブは形成されない。そこで、固定部の前方に、遮蔽部材を設けるようにしてもよい。遮蔽部材は、リブとは別部材とされ、ドレンパンユニットに取り付けられる。遮蔽部材を設けるようにすれば、固定部を隠すことができ、さらに冷気に触れないように断熱することもできる。
【００１５】
吹出口に面するように電装品が配置され、ワイヤは、吹出口の上壁上に配線され、上壁上に固定部が設けられるようにしてもよい。このようにすれば、電装品は吹出口内に位置するが、ワイヤは、送風の邪魔にならないように、吹出口の外側を通って配線される。
【００１６】
吹出口の上壁に、電装品を装着したホルダが取り付けられ、ホルダに下向きに突起が形成されるようにしてもよい。このようにすれば、吹出口の外側を通るワイヤを吹出口内の電装品に接続するために、ワイヤは、吹出口の上壁上から吹出口内に導かれ、突起の下方を通って電装品に接続される。そして、電装品およびワイヤはカバーによって覆われる。
【００１７】
突起により、ワイヤは電装品に接続される手前で弛まされ、トラップが形成される。これにより、水がワイヤを伝ってきても、電装品まで達しない。また、カバーによってワイヤを覆うことにより、ワイヤは吹出口内に入り込まず、ワイヤが送風の抵抗にならない。
【発明の効果】
【００１８】
本発明によると、吹出口に沿って配線されたワイヤが外部に露出することがあっても、ワイヤは前後方向を挟まれて固定されるので、不用意にワイヤが外れることを防止できる。
【図面の簡単な説明】
【００１９】
【図１】本発明の空気調和機の室内機の斜視図
【図２】室内機の断面図
【図３】前面パネルを外した室内機の正面図
【図４】（ａ）ドレンパンユニットの平面図、（ｂ）ドレンパンユニットの正面図、（ｃ）ドレンパンユニットの側面図
【図５】（ａ）イオン発生ユニット装着時のドレンパンユニットの斜視図、（ｂ）イオン発生ユニットを外した状態のドレンパンユニットの斜視図
【図６】斜め上から見たドレンパンユニットの斜視図
【図７】図４のＢ−Ｂ断面図および部分拡大図
【図８】図４のＣ−Ｃ断面図および部分拡大図
【図９】図４のＡ−Ａ断面図および部分拡大図
【発明を実施するための形態】
【００２０】
本実施形態の空気調和機の室内機を図１、２に示す。室内機は、熱交換器１および室内ファン２を備え、これらがキャビネット３に内装されている。キャビネット３の前面から底面にかけて湾曲面とされる。キャビネット３の上面に吸込口４が形成され、湾曲面に吹出口５が形成される。
【００２１】
キャビネット３の内部には、吸込口４から吹出口５に至る空気通路６が形成され、この空気通路６に熱交換器１と送風ファン２とが配設される。吸込口４と熱交換器１との間に、フィルタ７が配され、吸込口４から吸込んだ室内の空気から塵埃を除去する。フィルタ７は左右２枚とされる。
【００２２】
キャビネット３の湾曲面には、吹出口５を開閉するパネル８が設けられる。パネル８は、キャビネット３に開閉自在に支持され、パネル８を開閉するための開閉部が設けられる。
【００２３】
空気調和機の運転時に、パネル８が開く。冷房運転時には、パネル８は、冷風を斜め上方向に導き、冷風が天井に沿って吹き出す。暖房運転時には、パネル８は、前方に向かって吹き出される温風を押え込み、温風を床面方向に導く。なお、冷房運転の初期時にも、冷風が床面方向に吹き出され、急速冷房が行われる。パネル８は、運転停止時には閉姿勢となり、吹出口５を覆って、キャビネット３と一体化する。このように、パネル８は、風向変更板（横ルーバ）として機能する。
【００２４】
キャビネット３内において、熱交換器１の下方にドレンパン１１が設けられ、熱交換器１を伝って流れ落ちてくる露を受ける。ドレンパン１１は、吹出口５を形成するドレンパンユニット１２に一体的に形成される。ドレンパンユニット１２には、イオンを発生するイオン発生ユニット１３が装着される。
【００２５】
室内機には、フィルタ７を移動させながら清掃するフィルタ清掃装置が設けられる。フィルタ清掃装置は、フィルタ７から塵埃を除去する回転ブラシ１４と、除去された塵埃を溜めるダストボックス１５とを有する。フィルタ７は、キャビネット３に形成された案内路１６に沿って移動する。フィルタ清掃装置およびフィルタ７は、清掃ユニット１７に装着され、清掃ユニット１７は、キャビネット３内に設置される。
【００２６】
キャビネット３は、図１に示すように、後側に位置するベース板２０と、左右の側面カバー２１と、前側に位置する前面パネル２２とによって、左右方向に横長の箱状に形成される。ベース板２０は、壁面等に据え付けられる。側面カバー２１および前面パネル２２は、ベース板２０に対して着脱自在とされる。
【００２７】
ドレンパンユニット１２は、ベース板２０の前側の下部に着脱自在に取り付けられ、ドレンパンユニット１２は、キャビネット３の底面の一部を構成する。清掃ユニット１７はベース板２０に着脱自在に取り付けられる。清掃ユニット１７およびドレンパンユニット１２は、左右方向の両側においてベース板２０にそれぞれねじ止めされている。
【００２８】
キャビネット３から前面パネル２２を取り外したとき、図３に示すように、清掃ユニット１７が露出する。清掃ユニット１７およびドレンパンユニット１２がベース板２０から取り外し可能となる。さらに、側面カバー２１および清掃ユニット１７を取り外したとき、ドレンパンユニット１２がベース板２０から取り外し可能となる。キャビネット３の左右方向の一側（図３では右側）に、制御装置や電源装置を内装した電装ボックスが設けられている。電装ボックスは、側面カバーによって隠されている。
【００２９】
空気調和機では、室内機に対して図示しない室外機が室外に設置されている。室外機には、圧縮機、熱交換器、四方弁、室外ファン等が内装され、これらと室内側の熱交換器１とによって冷凍サイクルが形成される。そして、冷凍サイクルを制御するマイコンからなる制御装置は、ユーザの指示および室温や外気温を検出する温度センサ等の各種のセンサの検出信号に基づいて、冷凍サイクルを制御し、冷暖房運転を行うとともに、必要に応じて、イオン発生ユニット１３を動作させる。このとき、制御装置は、冷暖房運転に応じて開閉部を制御し、パネル１０を開閉する。また、制御装置は、定期的にあるいはユーザからの指示により、フィルタ清掃装置を制御して、フィルタ７を移動させながら清掃する。
【００３０】
図４、５に示すように、ドレンパンユニット１２は、上下左右の壁部材によって枠状に一体形成され、ドレンパンユニット１２の上面に、ドレンパン１１が形成される。ドレンパンユニット１２内に、前後方向に通路が形成される。この通路は空気通路６に連通する。通路は、左右方向に横長に形成され、吹出口５とされる。ドレンパンユニット１２の前側に、パネル８が着脱可能に取り付けられる。ドレンパンユニット１２の通路内に、縦ルーバ２３、整流板２４がそれぞれ設けられる。
【００３１】
イオン発生ユニット１３は、ドレンパンユニット１２の左右方向の中央に配置され、吹出口に面している。イオン発生ユニット１３は、ホルダ２５に嵌め込まれて保持され、ホルダ２５がドレンパンユニット１２の上壁２６に形成された凹部に取り付けられる。ホルダ２５に、イオン発生ユニット１３を覆うカバー２７が着脱自在に装着される。なお、イオン発生ユニット１３は、交換できるようにホルダ２５に着脱自在となっている。ドレンパンユニット１２の上壁２６は、吹出口５の上壁２６を構成する。上壁２６の後部は、ドレンパン１１の底壁にもなっている。上壁２６の前部は、ドレンパン１１よりも前方に張り出している。上壁２６の前部の上面に、清掃ユニット１７の下部が保持される。そして、上壁２６の前部は、ドレンパン１１に近づくにつれて下がるように形成されている。
【００３２】
電装品であるイオン発生ユニット１３は、電装ボックス３０にワイヤ３１により電気的に接続される。ワイヤ３１は、被覆されたリード線とされる。イオン発生ユニット１３に、ワイヤ３１を通じて電源が供給されるとともに、制御装置からの制御信号が送信される。図４、６に示すように、ワイヤ３１は、左右方向の一側にある電装ボックス３０からドレンパンユニット１２の左右方向の中央まで吹出口５に沿って左右方向に配線される。ここで、イオン発生ユニット１３は、自然界にあるプラスイオン（Ｈ＋（Ｈ２Ｏ）ｍ）（ｍは自然数）とマイナスイオン（Ｏ２−（Ｈ２Ｏ）ｎ）（ｎは自然数）をプラズマ放電により作り出し、空気中に放出する。なお、発生させるイオンは、マイナスイオンだけであってもよい。
【００３３】
ワイヤ３１は、上壁２６上を左右方向に配線される。ドレンパンユニット１２の一側の側壁に、配線口３２が形成され、電装ボックス３０から出たワイヤ３１が配線口３２を通り、上壁２６の前部の上面を通って、上壁２６の左右方向の中央に達する。上壁２６の左右方向の中央に、吹出口５内に通じる連通口３３が形成され、ワイヤ３１は、連通口３３を通って吹出口５内に入り、上壁２６の下面に沿ってホルダ２５まで配線される。ホルダ２５の前側に、導入口３４が形成され、ワイヤ３１は導入口３４を通って、イオン発生ユニット１３に接続される。
【００３４】
吹出口５に沿って上壁２６上を配線されるワイヤ３１を固定するために、図４、６に示すように、ドレンパンユニット１２に固定部４０が設けられる。固定部４０は、ワイヤ３１を前後方向に挟んで固定する。図７、８に示すように、固定部４０は、上壁２６の前部の上面に設けられたフック４１およびピン４２からなる。フック４１は、逆Ｌ字状に形成され、水平な頭部４１ａが前向きになるように配置される。ピン４２は、前側に傾斜して形成される。フック４１とピン４２とは同じ高さとされる。
【００３５】
２つのフック４１が、左右方向に間隔をおいて設けられる。例えば、その間隔は、８〜１０ｍｍ程度である。ピン４２は、隣り合うフック４１の間の中央に配される。そして、フック４１よりも前側に配置されるが、フック４１の立ち上がり部分の前端は、ピン４２の後端よりも前側に位置する。すなわち、フック４１とピン４２は、左右方向に沿ってジグザグに配置される。
【００３６】
このように、ワイヤ３１は、２つのフック４１と１つのピン４２とによって、前後方向を挟まれるとともに、フック４１の頭部４１ａにより上から押えられる。ワイヤ３１はピン４２により後側に押し込まれ、固定部４０においてワイヤ３１は湾曲する。このように前後および上下からワイヤ３１が挟まれて固定されることにより、メンテナンス時や清掃時にワイヤ３１が露出した場合に、ワイヤ３１に指などが引っ掛かったとしも、ワイヤ３１は前方向にも上方向にもずれにくくなる。したがって、ワイヤ３１をドレンパンユニット１２から外れにくいように、簡単に取り付けることができる。
【００３７】
なお、室内の壁に設置されたキャビネット３において、前方からワイヤ３１をフック４１とピン４２との間に入れるとき、ピン４２が前傾しているので、ピン４２に沿ってワイヤ３１を滑り込ませると、簡単にワイヤ３１をフック４１に押し込めることができる。そのため、固定部４０へのワイヤ３１の装着は容易に行える。また、ワイヤ３１を外すとき、ピン４２に沿ってワイヤ３１を持ち上げて、ワイヤ３１をピン４２よりも前側に引っ張り出すと、簡単にフック４１から外すことができる。すなわち、ワイヤ３１を前方向に引っ張る、あるいは上方向に引っ張るだけでは、ワイヤ３１は固定部４０から外れない。
【００３８】
固定部４０は、複数個設けられる。ここでは３つの固定部４０が、ドレンパンユニット１２の中央よりも右側、すなわち電装ボックス側に設けられている。各固定部４０が、左右方向の一側と中央との間で左右方向に沿って間隔をおいて配置される。ドレンパンユニット１２には、ワイヤ３１のはみ出しを防ぐためのリブ４３が設けられる。リブ４３は、図４、８に示すように、上壁２６の前部の上面に左右方向に沿って形成され、前傾している。リブ４３は、固定部４０よりも前側において、固定部４０に対向しない箇所に配置される。リブ４３の高さは、フック４１およびピン４２と同じ高さとされる。
【００３９】
ワイヤ３１はリブ４３の後方を通るように配線される。ワイヤ３１が前側に寄ると、リブ４３に接触するため、ワイヤ３１は前側にはみ出すことはない。また、リブ４３はワイヤ３１よりも高いので、前側からワイヤ３１を見ることができない。すなわち、キャビネット３を前側から見たときに、ワイヤ３１はリブ４３により隠される。なお、リブ４３は、清掃ユニット１７に形成された縦リブ４４に当接する。清掃ユニット１７がキャビネット３に取り付けられたとき、縦リブ４４がリブ４３に当接して、清掃ユニット１７が位置決めされる。
【００４０】
ところで、ドレンパンユニット１２は合成樹脂により成形される。そのため、フック４１、ピン４２およびリブ４３もドレンパン１１とともに金型により一体成形される。すなわち、ドレンパンユニット１２の通路を形成する第１の雄型と雌型とドレンパン１１を形成する第２の雄型とが用いられる。前後方向に移動する第１の雄型にピン用の凹部が形成され、上下方向に移動する第２の雄型にフック用の凹部とリブ用の凹部とが形成される。第１の雄型と雌型とが合わせられ、第１の雄型と第２の雄型とが合わせられる。
【００４１】
第１の雄型が前方向に抜かれ、第２の雄型が上方向に抜かれることにより、フック４１およびピン４２を有するドレンパンユニット１２が一体成形される。したがって、フック４１およびピン４２は、前向きおよび上向きの金型抜き方向に沿って形成されることになる。ドレンパンユニット１２にフック４１およびピン４２を一体的に設けることができ、ワイヤ固定用の別部品をドレンパンユニット１２に取り付ける必要がなく、コストを低減できる。
【００４２】
金型抜き方向が前方向であるため、固定部４０の前方にリブ４３を形成することができない。そこで、固定部４０の前方に、遮蔽部材を設けてもよい。遮蔽部材は、リブ４３に連続するように、左右方向に沿って設置される。遮蔽部材は、上壁２６の上面に接着あるいは粘着されて取り付けられる。遮蔽部材により、固定部４０を前側から見えないように隠すことができる。遮蔽部材として、断熱材料を用いるのが好ましい。遮蔽部材が冷気を遮断することにより、ワイヤ３１およびその周辺での露の発生を防止できる。
【００４３】
上記のように、吹出口５に沿って配線されたワイヤ３１は、上壁２６上において固定部４０により固定される。ところで、吹出口５を冷風が流れると、上壁２６の上面に露がつく可能性がある。そうすると、ワイヤ３１は水に触れるおそれがある。なお、上壁２６の前部では、前側よりも後側が低くなっているので、水が上壁２６の後側に向かって流れるようになっている。しかし、水がワイヤ３１を伝って、イオン発生ユニット１３に浸入する可能性がある。
【００４４】
そこで、この水の浸入を防止する防水構造として、ワイヤ３１がイオン発生ユニット１３に接続される手前において、ワイヤ３１を弛ませることにより、トラップが作られる。
【００４５】
図９に示すように、ホルダ２５に下向きの突起４５が形成され、突起４５は導入口３４に位置する。突起４５の下端は、イオン発生ユニット１３とワイヤ３１との接続位置よりも下方にある。導入口３４を通るワイヤ３１は、突起４５の下方を通る。ワイヤ３１は、カバー２７に覆われ、吹出口５内に垂れ下がることはない。
【００４６】
ワイヤ３１は、接続位置の手前において弛み、接続位置に向かって上がっていく。水が上壁２６からワイヤ３１を伝ってきても、ワイヤ３１から垂れ落ち、イオン発生ユニット１３に水が伝わらない。このように配線にトラップができるので、イオン発生ユニット１３への水の侵入を防止できる。
【００４７】
イオン発生ユニット１３を交換するとき、イオン発生ユニット１３がホルダ２５から外され、ワイヤ３１が着脱される。このとき、ワイヤ３１が弛むことにより、ワイヤ３１の遊びができるので、イオン発生ユニット１３は垂れ下がって、上壁２６から離れた状態になる。そのため、イオン発生ユニット１３に対するワイヤ３１の着脱を容易に行うことができる。
【００４８】
なお、本発明は、上記実施形態に限定されるものではなく、本発明の範囲内で上記実施形態に多くの修正および変更を加え得ることは勿論である。電装品として、オゾン発生ユニットや発光部品であったり、温度センサや湿度センサ、検知スイッチなどの検出器であったり、フィルタ移動用や回転ブラシ用のモータであってもよい。また、電装品は、キャビネットの左右方向の中央以外の中間部分に設けてもよく、１つに限らず複数設けてもよい。
【００４９】
フックとピンの個数は、任意に組み合わせてもよい。フックの代わりにピンを用いてもよい。前後方向にピンを配置し、前側のピンを後傾させ、後側のピンを前傾させる。前後のピンにより、ワイヤを挟むとともに上から押さえる。また、リブを別部材として、ドレンパンユニットの上壁上に取り付けてもよい。この場合、リブは、左右方向の一側から他側まで一直線に設けられる。
【符号の説明】
【００５０】
３    キャビネット
１１    ドレンパン
１２    ドレンパンユニット
１３    イオン発生ユニット
１７    清掃ユニット
２５    ホルダ
２６    上壁
２７    カバー
３０    電装ボックス
３１    ワイヤ
４０    固定部
４１    フック
４１ａ  頭部
４２    ピン
４３    リブ
４５    突起
【図１】
0005199410.tif 000002
【図２】
0005199410.tif 000003
【図３】
0005199410.tif 000004
【図４】
0005199410.tif 000005
【図５】
0005199410.tif 000006
【図６】
0005199410.tif 000007
【図７】
0005199410.tif 000008
【図８】
0005199410.tif 000009
【図９】
0005199410.tif 000010